【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
撮影レンズと、
前記撮影レンズにより被写体の像が形成される画素配列であって、複数の画素が行方向及び列方向に配列され、前記複数の画素が、前記撮影レンズの全射出瞳領域のうちの一部である第１の射出瞳領域からの被写体の像を光電変換する第１の画素群と、前記撮影レンズの全射出瞳領域のうちの一部であり前記第１の射出瞳領域に対する行方向に偏った第２の射出瞳領域からの被写体の像を光電変換する第２の画素群と、前記撮影レンズの全射出瞳領域のうちの一部である第３の射出瞳領域からの被写体の像を光電変換する第３の画素群と、前記撮影レンズの全射出瞳領域のうちの一部であり前記第３の射出瞳領域に対する列方向に偏った第４の射出瞳領域からの被写体の像を光電変換する第４の画素群と、前記撮影レンズの全射出瞳領域からの被写体の像を光電変換する第５の画素群とを含む画素配列と、前記画素配列における行を順次に選択する選択手段と、前記選択手段により選択された行の画素から信号を読み出す読み出し手段とを有する撮像センサと、
前記読み出し手段により読み出された前記第１の画素群の信号と前記第２の画素群の信号とを用いて行方向の視野での前記撮影レンズの合焦状態を検出する第１の焦点検出手段と、
前記読み出し手段により読み出された前記第３の画素群の信号と前記第４の画素群の信号とを用いて列方向の視野での前記撮影レンズの合焦状態を検出する第２の焦点検出手段と、
前記画素配列に形成された前記被写体の像の動きを検出する動き検出手段と、
前記動き検出手段により前記被写体の像の動きが検出された場合、前記第１の焦点検出手段の検出結果を第１の重みで用い前記第２の焦点検出手段の検出結果を前記第１の重みより低い第２の重みで用いることにより前記撮影レンズを制御し、前記動き検出手段により前記被写体の像の動きが検出されなかった場合、前記第１の焦点検出手段の検出結果と前記第２の焦点検出手段の検出結果とをそれぞれ同じ重みで用いることにより前記撮影レンズを制御する合焦手段と、
を備えたことを特徴とする撮像装置。
【請求項２】
前記撮像センサは、ＣＭＯＳイメージセンサであり、
前記撮像センサでは、前記選択手段が、前記画素配列における各行の画素に順次に信号の蓄積動作を行わせ、その後、前記読み出し手段が、前記画素配列における各行の画素から順次に前記蓄積動作により蓄積された信号を読み出す
ことを特徴とする請求項１に記載の撮像装置。
【請求項３】
前記第１の画素群と前記第２の画素群とは、前記画素配列における互いに行方向にずれた位置に配されており、
前記第３の画素群と前記第４の画素群とは、前記画素配列における互いに列方向にずれた位置に配されており、
前記第１の焦点検出手段は、前記第１の画素群の信号から得られる像と前記第２の画素群の信号から得られる像とを比較することにより、行方向の視野での前記撮影レンズの合焦状態を検出し、
前記第２の焦点検出手段は、前記第３の画素群の信号から得られる像と前記第４の画素群の信号から得られる像とを比較することにより、列方向の視野での前記撮影レンズの合焦状態を検出する
ことを特徴とする請求項１又は２に記載の撮像装置。
【請求項４】
前記第１の画素群における各画素は、第１の光電変換部を含み、
前記第２の画素群における各画素は、第２の光電変換部を含み、
前記第３の画素群における各画素は、第３の光電変換部を含み、
前記第４の画素群における各画素は、第４の光電変換部を含み、
前記第１の光電変換部の受光領域の中心は、画素の中心に対して行方向の第１の側にシフトしており、
前記第２の光電変換部の受光領域の中心は、画素の中心に対して、前記第１の光電変換部の受光領域の中心のシフト方向である第１の側とは反対方向の第２の側にシフトしており、
前記第３の光電変換部の受光領域の中心は、画素の中心に対して列方向の第３の側にシフトしており、
前記第４の光電変換部の受光領域の中心は、画素の中心に対して、前記第３の光電変換部の受光領域の中心のシフト方向である第３の側とは反対方向の第４の側にシフトしている
ことを特徴とする請求項１から３のいずれか１項に記載の撮像装置。
【請求項５】
前記撮影レンズは、移動可能な光学素子を含み、
前記撮像装置は、前記移動可能な光学素子を駆動する駆動手段をさらに備え、
前記動き検出手段は、前記駆動手段が前記移動可能な光学素子を駆動していることを検出することにより、前記画素配列に形成された前記被写体の像の動きを検出する
ことを特徴とする請求項１から４のいずれか１項に記載の撮像装置。
【請求項６】
前記動き検出手段は、前記撮像装置の振れを検出することにより、前記画素配列に形成された前記被写体の像の動きを検出する
ことを特徴とする請求項１から４のいずれか１項に記載の撮像装置。
【請求項７】
前記動き検出手段は、複数のフレーム期間における前記読み出し手段により前記画素配列から読み出された複数フレームの画像信号を比較して前記被写体の動きを検出することにより、前記画素配列に形成された前記被写体の像の動きを検出する
ことを特徴とする請求項１から４のいずれか１項に記載の撮像装置。
【手続補正２】
【補正対象書類名】明細書
【補正対象項目名】００１７
【補正方法】変更
【補正の内容】
【００１７】
本発明の１つの側面に係る撮像装置は、撮影レンズと、前記撮影レンズにより被写体の像が形成される画素配列であって、複数の画素が行方向及び列方向に配列され、前記複数の画素が、前記撮影レンズの全射出瞳領域のうちの一部である第１の射出瞳領域からの被写体の像を光電変換する第１の画素群と、前記撮影レンズの全射出瞳領域のうちの一部であり前記第１の射出瞳領域に対する行方向に偏った第２の射出瞳領域からの被写体の像を光電変換する第２の画素群と、前記撮影レンズの全射出瞳領域のうちの一部である第３の射出瞳領域からの被写体の像を光電変換する第３の画素群と、前記撮影レンズの全射出瞳領域のうちの一部であり前記第３の射出瞳領域に対する列方向に偏った第４の射出瞳領域からの被写体の像を光電変換する第４の画素群と、前記撮影レンズの全射出瞳領域からの被写体の像を光電変換する第５の画素群とを含む画素配列と、前記画素配列における行を順次に選択する選択手段と、前記選択手段により選択された行の画素から信号を読み出す読み出し手段とを有する撮像センサと、前記読み出し手段により読み出された前記第１の画素群の信号と前記第２の画素群の信号とを用いて行方向の視野での前記撮影レンズの合焦状態を検出する第１の焦点検出手段と、前記読み出し手段により読み出された前記第３の画素群の信号と前記第４の画素群の信号とを用いて列方向の視野での前記撮影レンズの合焦状態を検出する第２の焦点検出手段と、前記画素配列に形成された前記被写体の像の動きを検出する動き検出手段と、前記動き検出手段により前記被写体の像の動きが検出された場合、前記第１の焦点検出手段の検出結果を第１の重みで用い前記第２の焦点検出手段の検出結果を前記第１の重みより低い第２の重みで用いることにより前記撮影レンズを制御し、前記動き検出手段により前記被写体の像の動きが検出されなかった場合、前記第１の焦点検出手段の検出結果と前記第２の焦点検出手段の検出結果とをそれぞれ同じ重みで用いることにより前記撮影レンズを制御する合焦手段とを備えたことを特徴とする。